(57)【要約】【課題】収納ケースから雨水が漏出しない仕組みを備えた折畳み傘を提供する。【解決手段】握り柄１４とシャフトと傘布１６とを有する折畳み傘本体１２と、折畳み傘本体を収納し有底円筒状で上部２５が開口した収納ケース１３とからなる折畳み傘１１であって、握り柄は、上部に円形状のキャップ部１８が着脱自在に取付けられており、下部に収納ケースの上部と係合可能な第１係合部１９を有し、キャップ部は、係止用のストラップ２０を有し、ストラップを係止して輪っか状の係止部を形成するための係止片２２が上部に形成されており、下部に収納ケースの上部と係合可能な第２係合部２３を有し、収納ケースの上部は、第１係合部及び第２係合部が係合可能な第３係合部を有している。【選択図】図２
0003191401.tif 000002
【実用新案登録請求の範囲】
【請求項１】
握り柄とシャフトと傘布とを有する折畳み傘本体と、該折畳み傘本体を収納し有底円筒状で上部が開口した収納ケースとからなる折畳み傘であって、
前記握り柄は、上部に円形状のキャップ部が着脱自在に取付けられており、下部に前記収納ケースの上部と係合可能な第１係合部を有し、
前記キャップ部は、係止用のストラップを有し、該ストラップを係止して輪っか状の係止部を形成するための係止片が上部に形成されており、下部に前記収納ケースの上部と係合可能な第２係合部を有し、
前記収納ケースの上部は、前記第１係合部及び前記第２係合部が係合可能な第３係合部を有すること
を特徴とする折畳み傘。
【請求項２】
前記係止片は、前記キャップ部の中央にＣ字状に切り欠いて形成されており、前記ストラップは、前記キャップ部の側部に設けられていること
を特徴とする請求項１に記載の折畳み傘。
【請求項３】
前記第１係合部及び前記第２係合部は、複数のＬ字状溝又は雄ネジ部が設けられてなり、
前記第３係合部は、複数の凸部又は雌ネジ部が設けられてなること
を特徴とする請求項１に記載の折畳み傘。
【考案の詳細な説明】
【技術分野】
【０００１】
本考案は、折畳み傘本体と、この折畳み傘本体を収納する収納ケースとからなる折畳み傘に関するものである。
【背景技術】
【０００２】
従来、この種の傘としては、実用新案登録第３１８６１３４号公報に開示された構成のものが知られている。この傘１は、図７に示すように、折畳み傘本体２と、この折畳み傘本体２を収納する傘袋３とからなる。折畳み傘本体２は、握り柄４に係止用のストラップ５を有しており、また、傘袋３は、開閉可能なスライドファスナー６と、スライドファスナー６を開閉するスライダー７と、手提げベルト８とを有している。手提げベルト８の先端には、フック９が設けられており、このフック９をスライダー７に接続できる構成である（特許文献１参照）。
【０００３】
このような構成の傘１は、フック９をスライダー７に接続してから、手提げベルト８を手に持ち、あるいは吊り下げると、傘１の自重でスライドファスナー６が自然に閉まるのである。
【先行技術文献】
【特許文献】
【０００４】
【特許文献１】実用新案登録第３１８６１３４号公報
【考案の概要】
【考案が解決しようとする課題】
【０００５】
この従来例の傘１においては、傘袋３の開口部３ａを閉塞できないので、雨に濡れた折畳み傘本体２を傘袋３に収納した状態で横に倒して載置すると、開口部３ａから雨水が漏出するおそれがあるという欠点を有している。
【０００６】
また、折畳み傘本体２の握り柄４にストラップ５を有する他に、傘袋３にも手提げベルト８を有するので、折畳み傘本体２を傘袋３に収納した状態では、ストラップ５と手提げベルト８との２本が併存することとなり、煩雑でかえって使いにくいという欠点も有している。
【０００７】
従って、従来例における傘１においては、傘袋３から雨水が漏出しない仕組みを設けることと、傘１に有する係止用の紐類をスッキリまとめることとに解決しなければならない課題を有している。
【課題を解決するための手段】
【０００８】
前記従来例の課題を解決するための本考案の要旨は、握り柄とシャフトと傘布とを有する折畳み傘本体と、該折畳み傘本体を収納し有底円筒状で上部が開口した収納ケースとからなる折畳み傘であって、前記握り柄は、上部に円形状のキャップ部が着脱自在に取付けられており、下部に前記収納ケースの上部と係合可能な第１係合部を有し、前記キャップ部は、係止用のストラップを有し、該ストラップを係止して輪っか状の係止部を形成するための係止片が上部に形成されており、下部に前記収納ケースの上部と係合可能な第２係合部を有し、前記収納ケースの上部は、前記第１係合部及び前記第２係合部が係合可能な第３係合部を有することである。
【０００９】
また、前記係止片は、前記キャップ部の中央にＣ字状に切り欠いて形成されており、前記ストラップは、前記キャップ部の側部に設けられていること、；
前記第１係合部及び前記第２係合部は、複数のＬ字状溝又は雄ネジ部が設けられてなり、前記第３係合部は、複数の凸部又は雌ネジ部が設けられてなること、；
を含むものである。
【考案の効果】
【００１０】
本考案に係る折畳み傘によれば、雨に濡れた折畳み傘本体を収納ケースに収納して、第１係合部と第３係合部とを係合させると、握り柄が収納ケースの上部を閉塞するので、折畳み傘を鞄などに入れた際に中を濡らすことがなく、折畳み傘が横に倒れても上部から雨水が漏出しない。
また、キャップ部の第２係合部と収納ケースの第３係合部とを係合させると、キャップ部が収納ケースの上部を閉塞するので、収納ケースを横に倒しても上部から雨水が漏出しない。
そして、ストラップは、キャップ部に設けられているので、この１本で折畳み傘のストラップ又は、収納ケースのストラップの役目を果たすことができる。従って、従来例のように２本の紐類が煩雑に存在することがなく、使い易くて便利である。
更に、ストラップは、折畳み傘の手提げ紐として使用できるだけでなく、キャップ部の係止片に係止すると輪っか状の係止部が形成されるので、例えば鞄のバンドなどに係止部を吊り下げることができるという種々の優れた効果を奏する。
【００１１】
係止片は、キャップ部の中央にＣ字状に切り欠いて形成されており、ストラップは、キャップ部の側部に設けられていることによって、係止片が外側に出っ張らないので邪魔にならない。また、輪っか状の係止部が大きく垂直方向に形成されるので係止し易く使い勝手が良いという種々の優れた効果を奏する。
【００１２】
第１係合部及び第２係合部は、複数のＬ字状溝又は雄ネジ部が設けられてなり、第３係合部は、複数の凸部又は雌ネジ部が設けられてなることによって、Ｌ字状溝と凸部とを係合させる構造となり、また、雄ネジ部と雌ネジ部とを螺合させる構造となるので、係合状態が確実であるという優れた効果を奏する。
【図面の簡単な説明】
【００１３】
【図１】本考案に係る折畳み傘１１の斜視図である。
【図２】キャップ部１８を分離して示した折畳み傘１１の斜視図である。
【図３】キャップ部１８を取り外した状態の、折畳み傘本体１２の斜視図である。
【図４】収納ケース１３の斜視図である。
【図５】ストラップ２０を係止片２２に係止して係止部２１を形成した折畳み傘１１の斜視図である。
【図６】キャップ部１８で上部２５を閉塞した収納ケース１３の斜視図である。
【図７】従来例に係る傘１の正面図である。
【考案を実施するための形態】
【００１４】
次に、本考案の実施の形態について図面を参照しながら説明する。まず、図１及び図２において、符号１１は折畳み傘を示し、この折畳み傘１１は、折畳み傘本体１２と、折畳み傘本体１２を収納する収納ケース１３とから構成される。
【００１５】
折畳み傘本体１２は、図３に示すように、握り柄１４と、握り柄１４に設けられるシャフト１５と、シャフト１５の傘骨に張設される傘布１６とを有する。なお、図３に示す折畳み傘本体１２は、傘布１６を折り畳んで結束帯１７で結束した状態であり、また、キャップ部１８を取り外した状態を示している。
【００１６】
握り柄１４は、筒状に形成され、上部に円形状のキャップ部１８が着脱自在に取付けられている（図２参照）。また、握り柄１４の下部は、外周に沿って第１係合部１９が設けられている（図２及び図３参照）。
【００１７】
握り柄１４の上部は、図２に示すように、内周に沿って握り柄側係合部２４が設けられている。握り柄側係合部２４は、具体的には複数の凸部が設けられてなる。なお、凸部に代えて、図示しない雌ネジ部を設けてもよい。
【００１８】
第１係合部１９は、後述する収納ケース１３の第３係合部２６と係合可能である。第１係合部１９は、具体的には複数のＬ字状溝が設けられてなる（図２及び図３参照）。なお、Ｌ字状溝に代えて、図示しない雄ネジ部を設けてもよい。
【００１９】
キャップ部１８は、係止用のストラップ２０が側部に設けられており、また、ストラップ２０を係止して輪っか状の係止部２１を形成するための係止片２２が上部に形成されている（図５参照）。
【００２０】
この係止片２２は、キャップ部１８の中央にＣ字状に切り欠いて形成されており、係止片２２が外側に出っ張らないので邪魔にならない。
【００２１】
また、ストラップ２０が側部に設けられるので、輪っか状の係止部２１が大きく垂直方向に形成されることとなり係止し易く使い勝手が良い（図５参照）。
【００２２】
キャップ部１８の下部は、外周に沿って第２係合部２３が設けられている（図２参照）。第２係合部２３は、握り柄１４の握り柄側係合部２４と係合可能であると共に、収納ケース１３の第３係合部２６と係合可能である。第２係合部２３は、具体的には複数のＬ字状溝が設けられてなる。なお、Ｌ字状溝に代えて、図示しない雄ネジ部を設けてもよい。
【００２３】
収納ケース１３は、図４に示すように、有底円筒状で上部２５が開口して形成される。収納ケース１３の上部２５には、内周に沿って第３係合部２６が設けられている。第３係合部２６は、第１係合部１９及び第２係合部２３が係合可能である。第３係合部２６は、具体的には複数の凸部が設けられてなる。なお、凸部に代えて、図示しない雌ネジ部を設けてもよい。
【００２４】
以上のように構成される折畳み傘１１は、雨に濡れた折畳み傘本体１２を収納ケース１３に収納して、第１係合部１９と第３係合部２６とを係合させると、握り柄１４が収納ケース１３の上部２５を閉塞する役目を果たすので（図１参照）、折畳み傘１１を鞄などに入れた際に中を濡らすことがなく、折畳み傘１１が横に倒れても上部２５から雨水が漏出しない。
【００２５】
また、キャップ部１８の第２係合部２３と、収納ケース１３の第３係合部２６とを係合させると、キャップ部１８が収納ケース１３の上部２５を閉塞するので（図６参照）、収納ケース１３を横に倒しても上部２５から雨水が漏出しない。
【００２６】
そして、ストラップ２０は、キャップ部１８に設けられているので、この１本で折畳み傘１１のストラップ（図１参照）又は、収納ケース１３のストラップ（図６参照）の役目を果たすことができる。
【００２７】
更に、ストラップ２０は、折畳み傘１１の手提げ紐として使用できるだけでなく、キャップ部１８の係止片２２に係止すると輪っか状の係止部２１が形成されるので（図５参照）、例えば鞄のバンドなどに係止部２１を吊り下げることができる。
【００２８】
第１係合部１９及び第２係合部２３は、複数のＬ字状溝又は雄ネジ部が設けられてなる。また、第３係合部２６は、複数の凸部又は雌ネジ部が設けられてなる。従って、Ｌ字状溝と凸部とを係合させる構造となり、あるいは、雄ネジ部と雌ネジ部とを螺合させる構造となるので、係合状態が確実に維持できる。なお、雄ネジ部と雌ネジ部とは、図示はしないが、筒体の外周面又は内周面に刻設されるネジ部であり、両者が螺合できる構成であればよい。
【符号の説明】
【００２９】
１    傘
２    折畳み傘本体
３    傘袋
３ａ  開口部
４    握り柄
５    ストラップ
６    スライドファスナー
７    スライダー
８    手提げベルト
９    フック
１１  折畳み傘
１２  折畳み傘本体
１３  収納ケース
１４  握り柄
１５  シャフト
１６  傘布
１７  結束帯
１８  キャップ部
１９  第１係合部
２０  ストラップ
２１  係止部
２２  係止片
２３  第２係合部
２４  握り柄側係合部
２５  上部
２６  第３係合部
【図１】
0003191401.tif 000003
【図２】
0003191401.tif 000004
【図３】
0003191401.tif 000005
【図４】
0003191401.tif 000006
【図５】
0003191401.tif 000007
【図６】
0003191401.tif 000008
【図７】
0003191401.tif 000009